(57)【要約】【課題】固体撮像装置の光学部品と筐体とを、固定する接着剤のはみ出しを防止する。【解決手段】固体撮像装置の筐体の雌ねじ部と光学部品の雄ねじ部を螺合させ、光学部品支持部の開口端部の雌ネジ部の一部に設けた凹部に接着剤を塗布し、光学部品と筐体とを固定する。【選択図】図１
2008124796.tif 000002
【特許請求の範囲】
【請求項１】
固体撮像素子と、
該固体撮像素子に被写体像を形成する光学部品と、
該光学部品を支持する光学部品支持部を有する筐体と、
前記固体撮像素子を搭載する回路基板と、
を有する固体撮像装置であって、
前記光学部品は、
前記光学部品支持部に形成された雌ねじ部と螺合する雄ねじ部を有し、
螺合ねじ部で前記固体撮像素子と前記光学部品とを所定の位置に調整し、
前記光学部品支持部の被写体側の開口端部の前記雌ねじ部の一部に設けた凹部に接着剤を塗布し、前記光学部品と前記筐体とを固定することを特徴とする固体撮像装置。
【請求項２】
前記凹部は、
複数箇所設けられていることを特徴とする請求項１に記載の固体撮像装置。
【発明の詳細な説明】
【技術分野】
【０００１】
本発明は、携帯電話等の小型情報端末に搭載される固体撮像装置に関するものである。
【背景技術】
【０００２】
小型情報端末に搭載される固体撮像装置は、小型化・薄型化が要求されるため、構成部品を必要最小限に少なくし、構造も出来るだけ簡素化して対応している。
【０００３】
従来、ＣＣＤやＣＭＯＳ等の固体撮像素子を用いた固体撮像装置において、複数枚のレンズで構成された光学部品と固体撮像素子との距離を、光学部品と光学部品支持部とに設けたねじ部を螺合させ、チャート等を撮影して得られた情報を元に調整し、所定の焦点距離に合わせて接着剤で固定して小型化・薄型化を実現している。
【０００４】
図６は、従来技術による固体撮像装置の断面図である。内部にレンズなどの光学部材を保持し外周に雄ねじ部８が設けられた光学部品２と、雄ねじ部８に螺合する雌ねじ部７が設けられた光学部品支持部５を有する筐体３と、回路基板４と、固体撮像素子１とを有する固体撮像装置１０が提案されている。この雄ねじ部８と雌ねじ部７とをねじ合わせし、ねじ合わせを加減することにより光学部品２と撮像素子１との距離を調整してピント合わせをする。（特許文献１参照）
【０００５】
このように光学部品２と固体撮像素子１との相対距離を調整した後、接着剤等の固定手段で、光学部品２と筐体３とを固定している。
【０００６】
図７は、従来技術による固体撮像装置における接着剤のはみ出しを説明する斜視図である。前述の調整後、固体撮像装置１０の光学部品２を固定する為、螺合したねじ部に接着剤９を塗布するが、接着剤９が螺合部以外にもはみ出し、光学部品２の外観面や、筐体３の光学部品支持部５の外側面を汚してしまう。そのため、接着剤９のはみ出し防止策もいろいろ検討されている。
【０００７】
従来技術による接着剤流れ防止策と問題点について以下説明する。図８は、従来技術による筐体の要部断面図。図９は、筐体の光学部品支持部の雌ねじ部の端部に設けた環状の凹部を説明する要部断面図。図１０は、筐体の光学部品支持部の雌ねじ部を減らして設けた環状凹部を説明する要部断面図である。図８は接着剤はみ出し対策前の筐体３であり、本例では雌ねじ部７の山数を６山、筐体３の厚さをＡ、光学部品（不図示）と螺合するねじ部の山数は５山とする。
【０００８】
図９に示すように、接着剤のはみ出し防止策として筐体３の光学部品支持部５の内周面に設けた雌ねじ部７より光軸方向に伸びる立壁部１１を設け、環状凹部１２を形成することが考えられる。図８の筐体３と比較して、雌ねじ部７の山数は同じ６山で、立壁部１１を設けた分、筐体の厚さＢはＡよりも大きくなってしまう。
【０００９】
また、図１０に示すように、接着剤のはみ出し防止策として筐体３の厚さはＡのままとし、雌ねじ部７の山数を減らし、環状凹部１２を形成することが考えられる。図８の筐体３と比較して、筐体３の厚さは同じＡだが、雌ねじ部７の山数が４山に減り、光学部品（不図示）と螺合するねじ部が従来の約半分である３山となる。
【００１０】
【特許文献１】特開２００３−３２５２５号公報
【発明の開示】
【発明が解決しようとする課題】
【００１１】
図９に示すように、接着剤はみ出し防止用の立壁部１１を設けた場合、筐体３の厚さＢが大きくなり、従来技術で固体撮像装置１０を小型化・薄型化したことに反する構造となり問題となる。
【００１２】
図１０に示すように、薄型化を維持するために、螺合するねじ部の山数を減らして環状凹部１２を形成した場合、螺合するねじ部の公差の影響を受けやすく、螺合が不安定となり、筐体３に対して光学部品２が傾きやすくなる。高解像度の固体撮像装置１０では、光学部品２の僅かな傾きが、光学性能を低下させてしまう為、本例のように雌ねじ部７を単純に減らすことはできない。
【００１３】
本発明は、小型化・薄型化を維持しながら、光学部品を固定する接着剤を良好に塗布できる固体撮像装置を提供することを課題とする。
【課題を解決するための手段】
【００１４】
固体撮像素子と、
該固体撮像素子に被写体像を形成する光学部品と、
該光学部品を支持する光学部品支持部を有する筐体と、
前記固体撮像素子を搭載する回路基板と、
を有する固体撮像装置であって、
前記光学部品は、
前記光学部品支持部に形成された雌ネジ部と螺合する雄ネジ部を有し、
螺合ネジ部で前記固体撮像素子と前記光学部品とを所定の位置に調整し、
前記光学部品支持部の被写体側の開口端部の前記雌ねじ部の一部に設けた凹部に接着剤を塗布し、前記光学部品と前記筐体とを固定する固体撮像装置とする。
【００１５】
また、前記凹部は、複数箇所設けられている固体撮像装置とする。
【発明の効果】
【００１６】
本発明では、光学部品支持部の雌ねじ部の一部に凹部を設け、該凹部に接着剤を塗布することで、該凹部が接着剤溜まりになり、接着剤がはみ出して、光学部品の外観面や、光学部品支持部の外側面を汚すことを防止できる。
【００１７】
立壁部を設けないので筐体を大型化することなく、接着剤のはみ出しを防止できる。
【００１８】
光学部品の雌ねじ部の山数を減らさないので、螺合するねじ部の公差による光学部品の傾きの発生を押えることができる。
【００１９】
また、凹部を複数箇所設けることで、各凹部への接着剤の塗布量を減らしても螺合部全周に接着剤を流すことができる。
【発明を実施するための最良の形態】
【００２０】
図１は、本発明の実施例１における接着剤塗布前の固体撮像装置の斜視図である。
図２は、本発明の実施例１における撮像素子の封止状態を示す断面図である。
図３は、本発明の実施例１における筐体の要部断面図である。
図４は、本発明の実施例１における固体撮像装置の断面図である。
【実施例１】
【００２１】
図２に示すように、ＣＣＤやＣＭＯＳ等の固体撮像素子１を回路基板４に実装し、金属ワイヤー１４を介して、固体撮像素子１のパッド電極と回路基板４の配線とを電気的に接続する。回路基板４に実装した固体撮像素子１を、光学部品支持部５を有する筐体３とカバーガラス１３で、気密封止する。
【００２２】
図３に示すように、筐体３の光学部品支持部５は、内周面に光学部品２と螺合する雌ねじ部７を有し、被写体側の開口端部１５の雌ねじ部７の一部に凹部６を有する。
【００２３】
図４に示すように、複数のレンズを有する光学部品２は、筐体３の光学部品支持部５の内周面に設けられた雌ねじ部７と螺合する雄ねじ部８を有する。
【００２４】
図１に示すように、光学部品２の雄ねじ部８を筐体３の雌ねじ部７に螺合させ、螺合ねじ部を調整することで、光学部品２と固体撮像素子１との相対距離を調整するのは従来技術と同様である。
【００２５】
図４に示すように、接着剤９を、筐体３の光学部品支持部５の被写体側の開口端部１５の雌ねじ部７の一部に設けた凹部６に塗布する。
【００２６】
接着剤９の種類に応じた硬化手段、例えば、紫外線照射手段や、加熱手段などで、硬化させ、光学部品２を固定する。
【００２７】
図５（ａ）は、本発明における凹部を３箇所設けた筐体の上面図であり、図５（ｂ）は、本発明における凹部を４箇所設けた筐体の上面図である。
【００２８】
凹部６を、螺合する光学部品２の光軸に対して、軸対称に複数設けることで、それぞれの凹部６に対して接着剤９の塗布量を減らすことができる。
【００２９】
尚、光学部品２と筐体３とを接着固定する固体撮像装置１０に関して説明してきたが、通常撮影と近接撮影との焦点切換え機構を有する固体撮像装置に用いても良い。
【図面の簡単な説明】
【００３０】
【図１】本発明の実施例１における固体撮像装置の斜視図。
【図２】本発明の実施例１における撮像素子の封止状態を示す断面図。
【図３】本発明の実施例１におけるレンズ鏡筒保持体の要部断面図。
【図４】本発明の実施例１における固体撮像装置の断面図。
【図５】（ａ）本発明における凹部を３箇所設けた筐体の上面図、（ｂ）本発明における凹部を４箇所設けた筐体の上面図。
【図６】従来の固体撮像装置の断面図。
【図７】従来の固体撮像装置における接着剤のはみ出しを説明する図。
【図８】従来の筐体の要部断面図。
【図９】筐体の光学部品支持部の雌ねじ部の端部に設けた環状の凹部を説明する要部断面図。
【図１０】筐体の光学部品支持部の雌ねじ部を減らして設けた環状凹部を説明する要部断面図。
【符号の説明】
【００３１】
１    固体撮像素子
２    光学部品
３    筐体
４    回路基板
５    光学部品支持部
６    凹部
７    雌ねじ部
８    雄ねじ部
９    接着剤
１０    固体撮像装置
１１    立壁部
１２    環状凹部
１３    カバーガラス
１４    金属ワイヤー
１５    開口端部
【図１】
2008124796.tif 000003
【図２】
2008124796.tif 000004
【図３】
2008124796.tif 000005
【図４】
2008124796.tif 000006
【図５】
2008124796.tif 000007
【図６】
2008124796.tif 000008
【図７】
2008124796.tif 000009
【図８】
2008124796.tif 000010
【図９】
2008124796.tif 000011
【図１０】
2008124796.tif 000012